(57)【要約】【課題】犯罪者と対面することなく、マ−キング剤を用いて犯罪者にマーキングを実施し、その後の識別センサーや匂い探知犬による犯罪者の特定に有効な防犯用マーキングシステムの提供。【解決手段】遠隔操作により運転可能とした、所定空域内にマ−キング剤を放出する手段２を有することを特徴とする防犯用マーキングシステム【選択図】        図１
2005004456.tif 000002
【特許請求の範囲】
【請求項１】
遠隔操作により運転可能とした、所定空域内にマーキング剤を放出する手段を有することを特徴とする防犯用マーキングシステム。
【請求項２】
手元スイッチを入れることにより運転可能とした、所定空域内にマーキング剤を放出する手段を有することを特徴とする請求項１記載の防犯用マーキングシステム。
【請求項３】
請求項１記載の防犯用マーキングシステムの近傍に人の存在を感じるセンサーを設置し、このセンサーからの情報をインターフェース回路を介して所定空域内にマーキング剤を放出する手段に送ることによって防犯用マーキングシステムを操作可能としたことを特徴とする請求項１記載の防犯用マーキングシステム。
【請求項４】
請求項１記載の空域内にマーキング剤を放出する手段が、マーキング剤と高圧ガスとを密閉した金属製の容器を準備し、マーキング剤を含むガス取り出し口を弁で密封し、ソレノイドバルブを利用することにより、制御装置よりのコマンドに基づき所定空域内に霧状のマーキング剤を放出可能とした装置からなることを特徴とする請求項１記載の防犯用マーキングシステム。
【発明の詳細な説明】
【０００１】
【発明の属する技術分野】
本発明は、窃盗犯等が逃走する際に付着したマーキング剤により逃走犯人を特定することのできるマーキング剤を放出することのできる防犯用マーキングシステムに関する。
【０００２】
【従来の技術】
従来、犯罪防止機器として、警報装置や防犯カメラが知られていた。また、逃走犯人に対して、マーキングを行うものとして、特許文献１には、「衝撃により破損し得る密封容器中に塗料を充填してなることを特徴とする、投てき用マーキング物品」について記載されており、特許文献２には、衝撃によって破損する容器内に塗料を含有する液体を密封した投てきによるマーキング品において、前記容器は薄肉部を一部に設けた球体からなり、容器内に充填する液体の充填割合が４０〜１００％であり、また、容器の強度は、容器に液体を密封した状態で自然落下させることにより決定されることを特徴とする投てきによるマーキング品について記載されている。しかし、このマーキング品を使用できる場合は、店員や警察官等投てきを行う者の前に犯人の存在していることが必須のこととなる。
【０００３】
これに対して、特許文献３には、「本発明は既存の鍵穴に不正開錠を防止するのに有効な手段で鍵穴の前面に防護鉄板の板を平板バネ両側保持ピッキング工具の挿入を防止防護する更に用具挿入すると匂い袋が破ける構造である為独特の匂いが発生し、撃退され得る。」と記載されている。この場合もピッキング被害の防止が限度である。
また、特許文献４には、「銀行運営の、両替機器、ＡＴＭ装置の破壊強盗、此の不埒者共が機器の破壊衝撃に反応して、絶え難い悪臭、例えばイタチ、スカンクの屁の如き悪臭を不埒者ギャング共に発射吹き付け、臭いのマーキングを貼りつける。」旨記載されている。
【０００４】
【特許文献１】
実公平２−３７１１３号公報
【特許文献２】
特開平２００１−１４５６５号公報
【特許文献３】
特開平２００２−２４２４９４号公報
【特許文献４】
特開平２００１−６７５５６号公報
【０００５】
【発明が解決しようとする課題】
本発明は、犯罪者の反撃や犯罪隠匿行為を軽減し、その後のマーキング剤識別センサーや匂い探知犬による犯罪者の特定に有効な防犯用マーキングシステムを提供することを目的とする。
【０００６】
【課題を解決するための手段】
本発明の第１は、遠隔操作により運転可能とした、所定空域内にマーキング剤を放出する手段を有することを特徴とする防犯用マーキングシステムに関する。本発明の第２は、手元スイッチを入れることにより運転可能とした、所定空域内にマーキング剤を放出する手段を有することを特徴とする請求項１記載の防犯用マーキングシステムに関する。
本発明の第３は、請求項１記載の防犯用マーキングシステムの近傍に人の存在を感じるセンサーを設置し、このセンサーからの情報をインターフェース回路を介して所定空域内にマーキング剤を放出する手段に送ることによって防犯用マーキングシステムを操作可能としたことを特徴とする請求項１記載の防犯用マーキングシステムに関する。
本発明の第４は、請求項１記載の空域内に芳香を放出する手段が、芳香剤と高圧ガスとを密閉した金属製の容器を準備し、マーキング剤を含むガス取り出し口を弁で密封し、ソレノイドバルブを利用することにより、制御装置よりのコマンドに基づき所定空域内に霧状のマーキング剤を放出可能とした装置からなることを特徴とする請求項１記載の防犯用マーキングシステムに関する。
【０００７】
以下に図面に基づき本発明を具体的に説明するが、本発明はこれにより何ら限定されるものではない。
図１は、本発明の防犯用マーキングシステムの１例を示す説明図である。
本発明の防犯用マーキングシステム１は、店舗におけるカウンター前、犯人の逃走経路となる店舗入り口、廊下等の床面、側壁、天井にマーキング剤放出装置２のマーキング剤放出口を設ける。
マーキング剤放出装置２の運転は、店員等がカウンター内に居り、犯人の要求に対応している間に、犯人が所定の位置に達したとき、足元等に設けられた手元スイッチ３をオンとすることにより直接ドライバー手段７を稼動せしめ、マーキング剤放出装置２の運転を実施するか、手元スイッチ３をオンとすることにより運転開始信号を受信手段４に送り、あらかじめ、防犯用匂いマーキングシステム１を複数配備してある場合には、稼動すべきシステムの選択、システムの運転時間等を記憶した記憶手段５を有する制御部６からの情報に基づいてドライバー手段７によりマーキング剤放出装置２の運転を実施し、放出口よりマーキング剤を放出し犯人に付着せしめることができる。
【０００８】
夜間等で室内に店員が不在のときは、店員等の退出時にスイッチをオンとすることにより運転可能状態とし、例えば、金庫等の近くに設けられた防犯用マーキングシステム１の近傍に人の存在を感じる赤外線センサー等のセンサーを設置することにより、このセンサーから得た情報を受信手段４に送り、制御部６を介してマーキング剤放出装置２を自動的に運転操作することもできる。
又、例えば、テレビカメラ等により室内を監視している場合には、警備会社や警備室のモニターテレビ８に映し出された映像から判断し、室外より電話回線等を利用して、信号発信手段３′から受信手段４に信号を送ることによって制御部６を介してマーキング剤放出装置２を操作することもできる。
本発明の防犯用マーキングシステム１によれば、犯人に対しマーキングを行う場合、実行者は犯人と直接対面することなく実行できるので、犯人からの逆襲を受けることもなく、マーキングを完全に実施することができる。
【０００９】
マーキング剤放出装置２は、マーキング剤収納部とマーキング剤を放出する手段とからなる。
マーキング剤としては、芳香剤やセンサーにより検出可能な化合物等を使用することができる。
マーキング剤として芳香剤を用いる場合、芳香剤収納部は、芳香剤とそれを収納する収納容器とからなる。ここに用いる芳香剤としては特に限定されないが、例えば、バラ、菊、百合、梅等の花の香や、檜の香、杉の香、松の香、桜の香等の樹木の香等を用いることができる。
しかし、強い悪臭を放つものは、本発明の防犯用匂いマーキングシステムの稼動を犯人が容易に気付くこととなり、店員等に暴力を振るう場合が生じ、また、犯人は臭気を取り除く行動が取り易くなり、操作終了後において店内に拡散した臭気を完全に除去することは困難となるので好ましくない。
そこで、芳香剤の選択にあたっては、微かな芳香を発し、しかも好ましい香を発する芳香剤の選択が好ましい。更に、人間がその臭気を認識することはできないが、犬によって認識することのできる芳香剤が特に好ましい。このような芳香剤として、グリセリン脂肪酸エステル系の、ラウリン酸エステル、オレイン酸エステル、ステアリン酸エステルがあり、また、犬のフェロモン物質であるとされるメチル−ｐ−ヒドロキシベンゾエートが好ましい。このような芳香剤を用いることによって、犯人自身匂いマーキングが実施されたことに全く気がつかず、後の捜索犬による捜索を容易とすることができる。
マーキング剤として、ポルフォリン鉄錯塩（一般名ヘム）を用い、血こん鑑識法として広く知られているルミノール発光試験法による検出法により真犯人を特定することができる。また、Ｃ１４のような同位元素を有する化合物をマーキング剤として用い、同位元素検出器による検出により真犯人を特定することができる。
マーキング剤収納容器に入れるマーキング剤は、液状、ペースト状、固体状、など任意であるし、マーキング剤成分を織布、不織布など繊維状物質に含浸または吸着させた形でも良い。
【００１０】
マーキング剤収納容器として固体金属からなる容器を用いることができる。マーキング剤放出時に、通電による加熱機構を有していることが好ましい。例えば、電源と加熱機構との間に設けた開閉器が制御手段からの情報によりオンの状態にあるとき、または、制御部よりの情報に基づいて、所定時間加熱するヒート線を固体金属からなる容器の外側にコイル状に巻いておくことにより、容易に加熱することができる容器が好ましい。
また、マーキング剤収納容器として合成樹脂製チューブを用いることができる。この場合、マーキング剤やアルコールのような揮発性溶剤に侵されないことが必要である。合成樹脂としてはポリエチレンテレフタレート、ポリプロピレン等を挙げることができる。
【００１１】
また、マーキング剤収納部は、マーキング剤を含有することのできる多孔質物質を用いることができる。
多孔質物質としては、多孔性金属、多孔性合成樹脂等がある。
多孔性金属としては、アルミナ、シリカアルミナのほか、ステンレス、Ｃｏ−Ｃｒ合金、ＴｉおよびＴｉ合金の焼結体がある。
多孔性合成樹脂としては、ポリウレタンフォーム、ポリイミドフォーム、ポリエチレンフォーム等があり、又、重合体中の溶剤除去法によって得られた多孔質体がある。これら多孔質体は連通気泡を有するものが好ましい。
【００１２】
店員等により手元スイッチをオンとすることにより、直接本発明のマーキングシステム１を稼動状態とする場合、あるいは、遠隔操作等により、制御部６からの情報に基づいて直接本発明のマーキングシステムを稼動状態とする場合、ドライバー手段７によりマーキング剤収納部からマーキング剤を放出する手段としては特に制限はないが、マーキング剤収納部に対して超音波振動、加熱、加圧、風などの手段を単独あるいは併用して加えることのできる手段であり、これによりマーキング剤収納部に収納されているマーキング剤を外部に放出することができる。例えば、超音波振動は、電圧や周波数を変化させて、時間に対応して超音波がマーキング剤を刺激し霧状にして外部に放出する。また、マーキング剤収納容器の周辺に加熱器具などを装着することもできる。この場合の加熱器具としては、例えば熱応答性に優れたセラミックス材料を使用するなど、熱量の発生を瞬時に伝達できるものが好ましい。また、圧力を利用する例としては、高周波振動モータなどで圧力弁を上下に動かし、開閉口から外部に匂いを発生させることもできる。場合によっては、マーキング剤収納部とマーキング剤を放出する手段とを一体化することもできる。この場合には、マーキング剤収納部材として金属、セラミックス、プラスチックス、繊維材料等からなる多孔体を用い、この多孔体にマーキング剤を塗布および／または含浸させておき、制御部からの信号により、回転、振動、熱あるいは風圧のような圧力等を加えることにより、マーキング剤を外部に放出させることができる。
マーキング剤収納部を、マーキング剤を含有する多孔質物質で成型したファンとすることで、マーキング剤収納部を独立して設ける必要がなくなる。しかし、この方法においてマーキング剤の放出が十分でないときは、マーキング剤収納部を補完のため設けることができる。
【００１３】
本発明のマーキングシステムにおけるマーキング剤芳香を放出する手段としてソレノイドバルブを装備したガスボンベを用いることができる。
図２は、ソレノイドバルブを装備したガスボンベを有するマーキング剤を放出する手段を説明する概念図である。
マーキング剤と高圧ガスとを密閉した金属製の容器９を準備し、マーキング剤を含むガス取り出し口を弁で密封し、ソレノイドバルブ１０を利用することにより、制御部６よりのコマンドに基づき、ドライバー手段７、例えば電源１１との間に設けられた開閉器をオンの状態とし、所定空域内にマーキング剤を噴霧することにより、犯人の頭髪内部までマーキング剤が侵入し、犯人逃走中着衣を代え、体を洗浄した程度ではマーキング剤を完全に除くことはできなく、警察犬、検出センサー等による犯人の追跡捜査が容易となるので特に好ましい。
マーキング剤収納部は、容易に交換し得るよう脱着容易に構成することが好ましい。
【００１４】
【発明の効果】
本発明により、犯罪者に感知されることなく、マーキング剤を用いて犯罪者に匂いマーキングを実施し、その後のマーキング剤識別センサーや匂い探知犬による犯罪者の特定に有効な防犯用マーキングシステムを提供することができた。
【図面の簡単な説明】
【図１】本発明の防犯用マーキングシステムの１例を示す説明図である。
【図２】ソレノイドバルブを装備したガスボンベを有するマーキング剤を放出する手段を説明する概念図である。
【符号の説明】
１  防犯用マーキングシステム
２  マーキング剤放出装置
３  スイッチ
３′  信号発信手段
４  受信手段
５  記憶手段
６  制御部
７  ドライバー手段
８  モニターテレビ
９  容器
１０  ソレノイドバルブ
１１  電源
【図１】
2005004456.tif 000003
【図２】
2005004456.tif 000004